(57)【特許請求の範囲】
【請求項１】
建築物の屋内に仮設されて、該屋内を仕切る仮設間仕切りであって、
前記屋内の仕切り対象箇所に設置される枠組み足場と、該枠組み足場に着脱可能に取り付けられる複数の下地部材と、該複数の下地部材に着脱可能に取り付けられたシート又はパネル部材とを備え、
前記枠組み足場は、間隔をおいて配置される一対の支持脚と、該一対の支持脚間に斜めに架設される筋交いと、該一対の支持脚の上端間に架設される布板とからなる足場ユニットを、前記仕切り対象箇所の幅方向に横並びに少なくとも１組、かつ上下方向に少なくとも１段に設置してなり、
前記各支持脚は、間隔をおいて配置される一対のベース金具と、該ベース金具によって垂直に支持される門型状の建枠とからなり、
前記一対の支持脚の両建枠間に前記複数の下地部材が着脱可能に取り付けられ、該複数の下地部材に前記シート又は前記パネル部材が着脱可能に取り付けられており、
前記各下地部材は、前記各建枠に着脱可能に固定される固定バンドと、前記各下地部材に取り付けられて一部が前記各下地部材の一部に係止される係止板と、該係止板を前記固定バンドに固定するねじ締結体とからなる固定金具により、前記各建枠に固定されていることを特徴とする仮設間仕切り。
【請求項２】
前記屋内を、前記仕切り対象箇所を境として工事対象区域と非工事対象区域に仕切ることを特徴とする請求項１に記載の仮設間仕切り。
【請求項３】
建築物の屋内の仕切り対象箇所に枠組み足場を設置し、
前記枠組み足場に複数の下地部材を着脱可能に取り付け、
前記複数の下地部材にシート又はパネル部材を着脱可能に取り付け、該シート又はパネル部材により前記仕切り対象箇所を仕切る仮設間仕切りの設置方法であって、
前記枠組み足場は、間隔をおいて配置される一対の支持脚と、該一対の支持脚間に斜めに架設される筋交いと、該一対の支持脚の上端間に架設される布板とからなる足場ユニットを、前記仕切り対象箇所の幅方向に横並びに少なくとも１組、かつ上下方向に少なくとも１段に設置してなり、
前記各支持脚は、間隔をおいて配置される一対のベース金具と、該ベース金具によって垂直に支持される門型状の建枠とからなり、
前記一対の支持脚の両建枠間に前記複数の下地部材が着脱可能に取り付けられ、該複数の下地部材に前記シート又は前記パネル部材が着脱可能に取り付けられており、
前記各下地部材は、前記各建枠に着脱可能に固定される固定バンドと、前記各下地部材に取り付けられて一部が前記各下地部材の一部に係止される係止板と、該係止板を前記固定バンドに固定するねじ締結体とからなる固定金具により、前記各建枠に固定されている
ることを特徴とする仮設間仕切りの設置方法。
【発明の詳細な説明】
【技術分野】
【０００１】
本発明は、仮設間仕切り及び仮設間仕切りの設置方法に関し、特に、既設の建築物の屋内を仕切るのに有効な仮設間仕切り及び仮設間仕切りの設置方法に関する。
【背景技術】
【０００２】
一般に、既設の建築物の屋内において改修工事等の各種の工事を行う場合、屋内の仕切り対象箇所に仮設間仕切りを設置し、この仮設間仕切りよって屋内を例えば工事対象区域と非工事対象区域とに仕切り、工事によって発生する粉塵等が工事対象区域から非工事対象区域に及ぶのを防止している。
【０００３】
例えば、屋内の仕切り対象箇所の天井板及び床板を取り外して上下の床スラブを露出させ、この状態で上下の床スラブ間に軽量鉄骨を縦横に組み立てて骨組みを形成し、この骨組みの表面に複数の内装ボード（石膏ボード等）をねじ止め等の手段によって張り付け、屋内を工事対象区域と非工事対象区域とに仕切る仮設間仕切りを構成している。
【０００４】
また、仮設間仕切りの他の例が特許文献１に記載されている。この仮設間仕切りは、キャスター付きの水平面部と、水平面部から立設される下側部分と、下側部分に対して折り畳み自在な上側部分とを備えた垂直面部と、水平面部と垂直面部との間に設けられる補強面部とを備えたものであって、仕切り対象箇所に複数の仮設間仕切りを横並びに配置し、各仮設間仕切りの垂直面部の上側部分の高さを調整することで、屋内を工事対象区域と非工事対象区域とに仕切る仮設間仕切りを構成している。
【０００５】
さらに、仮設間仕切りの他の例が特許文献２に記載されている。この仮設間仕切りは、天井に取り付けられる巻上げ式ブラインドと、巻上げ式ブラインドの近傍に、天井から床面に至って配置される伸縮自在な支柱と、支柱に係合されて巻上げ式ブラインドから引き出されたカーテンを支柱に押し付ける幕遮蔽部材と、床面に至ったカーテンの端部を床面に押える床用遮蔽部材とから構成され、カーテンによって屋内を工事対象区域と非工事対象区域とに仕切る仮設間仕切りを構成している。
【特許文献１】実公平７−３６０１２号公報
【特許文献２】特開２０００−２７４１６０号公報
【発明の開示】
【発明が解決しようとする課題】
【０００６】
ところで、上記のような構成の各種の仮設間仕切りのうち、軽量鉄骨からなる骨組みと、内装ボードとによって構成した仮設間仕切りは、工事対象区域での工事の完了後に、内装ボード、及び骨組みを解体して撤去しなければならないため、その作業に手間がかかる。また、解体した骨組み及び内装ボードを再利用することができないため、それらを産業廃棄として処分しなければならず、産業廃棄物の排出量が増大してしまう。
【０００７】
また、特許文献１、２に記載の仮設間仕切りは、繰り返し使用することができるので、軽量鉄骨からなる骨組みと内装ボードとによって構成した仮設間仕切りのような問題が生じることはない。しかし、仕切り対象箇所の規模が大きい場合には、複数の仮設間仕切りを用意しなければならないため、設備費が嵩み、仮設間仕切りの設置に要する費用が嵩んでしまう。
【０００８】
本発明は、上記のような従来の問題に鑑みなされたものであって、産業廃棄物の排出量削減することができるとともに、仕切り対象箇所の規模が大きい場合であっても、費用が嵩むことなく、安価に仕切ることができる仮設間仕切り及び仮設間仕切りの設置方法を提供することを目的とする。
【課題を解決するための手段】
【０００９】
上記のような課題を解決するために、本発明は、以下のような手段を採用している。
すなわち、本発明の仮設間仕切りは、建築物の屋内に仮設されて、該屋内を仕切る仮設間仕切りであって、前記屋内の仕切り対象箇所に設置される枠組み足場と、該枠組み足場に着脱可能に取り付けられる複数の下地部材と、該複数の下地部材に着脱可能に取り付けられたシート又はパネル部材とを備え、前記枠組み足場は、間隔をおいて配置される一対の支持脚と、該一対の支持脚間に斜めに架設される筋交いと、該一対の支持脚の上端間に架設される布板とからなる足場ユニットを、前記仕切り対象箇所の幅方向に横並びに少なくとも１組、かつ上下方向に少なくとも１段に設置してなり、前記各支持脚は、間隔をおいて配置される一対のベース金具と、該ベース金具によって垂直に支持される門型状の建枠とからなり、前記一対の支持脚の両建枠間に前記複数の下地部材が着脱可能に取り付けられ、該複数の下地部材に前記シート又は前記パネル部材が着脱可能に取り付けられており、前記各下地部材は、前記各建枠に着脱可能に固定される固定バンドと、前記各下地部材に取り付けられて一部が前記各下地部材の一部に係止される係止板と、該係止板を前記固定バンドに固定するねじ締結体とからなる固定金具により、前記各建枠に固定されていることを特徴とするてなることを特徴とする。
【００１０】
本発明の仮設間仕切りによれば、仕切り対象箇所に枠組み足場を設置し、枠組み足場に複数の下地部材を取り付け、複数の下地部材にシート又はパネル部材を取り付けることにより、シート又はパネル部材によって屋内を仕切る仮設間仕切りが構成されることになる。
【００１１】
また、本発明の仮設間仕切りは、前記屋内を、前記仕切り対象箇所を境として工事対象区域と非工事対象区域に仕切ることを特徴とすることとしてもよい。
【００１２】
本発明の仮設間仕切りによれば、仕切り対象箇所に枠組み足場を設置し、枠組み足場に複数の下地部材を取り付け、複数の下地部材にシート又はパネル部材を取り付けることにより、屋内を工事対象区域と非工事対象区域とを仕切る仮設間仕切りが構成されることになる。
【００１４】
本発明の仮設間仕切りによれば、足場ユニットを、仕切り対象箇所の幅方向に横並びに少なくとも１組、かつ上下方向に少なくとも１段に設置することにより、少なくとも１組の足場ユニットからなる枠組み足場が仕切り対象箇所に設置される。そして、この枠組み足場の少なくとも１組の足場ユニットの支持脚に複数の下地部材が着脱可能に取り付けられ、この複数の下地部材にシート又はパネル部材が着脱可能に取り付けられることになる。
【００１６】
本発明の仮設間仕切りによれば、各支持脚は、一対のベース金具と、ベース金具によって支持される建枠とからなり、一対の支持脚の両建枠間に複数の下地部材が着脱可能に取り付けられ、この複数の下地部材にシート又はパネル部材が着脱可能に取り付けられることになる。
【００１８】
本発明の仮設間仕切りによれば、各支持脚の各建枠に固定バンドを取り付け、各下地部材に係止板を取り付けて、係止板の一部を各下地部材の一部に係止させ、係止板をねじ締結体によって固定バンドに取り付けることにより、各下地部材が各建枠に固定されることになる。
【００１９】
さらに、本発明の仮設間仕切りの設置方法は、建築物の屋内の仕切り対象箇所に枠組み足場を設置し、前記枠組み足場に複数の下地部材を着脱可能に取り付け、前記複数の下地部材にシート又はパネル部材を着脱可能に取り付け、該シート又はパネル部材により前記仕切り対象箇所を仕切る仮設間仕切りの設置方法であって、前記枠組み足場は、間隔をおいて配置される一対の支持脚と、該一対の支持脚間に斜めに架設される筋交いと、該一対の支持脚の上端間に架設される布板とからなる足場ユニットを、前記仕切り対象箇所の幅方向に横並びに少なくとも１組、かつ上下方向に少なくとも１段に設置してなり、前記各支持脚は、間隔をおいて配置される一対のベース金具と、該ベース金具によって垂直に支持される門型状の建枠とからなり、前記一対の支持脚の両建枠間に前記複数の下地部材が着脱可能に取り付けられ、該複数の下地部材に前記シート又は前記パネル部材が着脱可能に取り付けられており、前記各下地部材は、前記各建枠に着脱可能に固定される固定バンドと、前記各下地部材に取り付けられて一部が前記各下地部材の一部に係止される係止板と、該係止板を前記固定バンドに固定するねじ締結体とからなる固定金具により、前記各建枠に固定されていることを特徴とする。
【発明の効果】
【００２０】
以上、説明したように、本発明の仮設間仕切り及び仮設間仕切りの設置方法によれば、仕切り対象箇所に枠組み足場を設置し、枠組み足場に複数の下地部材を着脱可能に取り付け、複数の下地部材にシート又はパネル部材を着脱可能に取り付けることにより、屋内を仕切る仮設間仕切りを構成することができる。
従って、工事の完了後に仮設間仕切りを撤去する場合に、枠組み足場及び下地部材を再利用することができるので、工事の完了後に排出する産業廃棄物の量を大幅に削減することができ、環境保全に貢献することができる。
また、リース品等として市場に流通している枠組み足場を用い、下地部材とシート又はパネル部材とを用意すればよいので、設備費用を大幅に削減することができる。また、枠組み足場を屋内の仕切り対象箇所に設置し、枠組み足場に複数の下地部材を取り付け、下地部材にシート又はパネル部材を取り付けるだけでよいので、仮設間仕切りの設置に要する時間と手間を削減することができ、仮設間仕切りの設置に要する費用を大幅に削減することもできる。
【発明を実施するための最良の形態】
【００２１】
以下、図面を参照しながら本発明の実施の形態について説明する。
図１〜図４には、本発明による仮設間仕切りの一実施の形態が示されていて、図１は仮設間仕切りの全体を示す概略図、図２は図１の部分拡大図、図３は図２の枠組み足場と下地部材との関係を示す説明図、図４は図３の概略断面図、図５は固定金具の変形例を示す概略断面図である。
【００２２】
すなわち、本実施の形態の仮設間仕切りは、既設の建築物の屋内を例えば工事対象区域と非工事対象区域とに仕切るのに有効なものであって、図１及び図２に示すように、屋内の仕切り対象箇所４０に設置される枠組み足場２と、枠組み足場２に着脱可能に取り付けられる複数の下地部材４と、複数の下地部材４に着脱可能に取り付けられるシート又はパネル部材３５とを備えている。
【００２３】
枠組み足場２は、図１及び図２に示すように、仕切り対象箇所４０の幅方向（図１、図２のＡ方向）に間隔をおいて配置される一対の支持脚４、４と、両支持脚４、４の上端間に水平に架設される布板１５と、両支持脚４、４間に斜めに架設される筋交い１４とを備えた足場ユニット３を、仕切り対象箇所４０の全幅に亘って横並びに少なくとも１組（本実施の形態では２組以上）設置し、かつ上下方向に少なくとも１段（本実施の形態では１段）に設置して構成したものである。
【００２４】
足場ユニット３の各支持脚４は、仕切り対象箇所４０の床面４０ｂ上に、仕切り対象箇所４０の厚み方向（図１、２のＢ方向）に間隔をおいて配置される一対のベース金具５、５と、両ベース金具５、５によって垂直に支持される門型状の建枠１０とから構成され、両支持脚４、４の両建枠１０、１０が仕切り対象箇所４０の幅方向（図１、２のＡ方向）に間隔をおいて対向配置されている。
【００２５】
各支持脚４のベース金具５、５は、仕切り対象箇所４０の床面４０ｂ上に直接に配置してもよいし、本実施の形態のように、仕切り対象箇所４０の床面４０ｂ上に木製又は金属製の長方形状のベース板９を配置し、このベース板９の上部にベース金具５、５を配置するように構成してもよい。
【００２６】
各ベース金具５は、図２に示すように、例えば、四角形板状の支持板６と、支持板６の上面中央部に垂直に設けられる高さ調整可能なジャッキ７と、ジャッキ７の高さを調整するためのハンドル８とから構成され、両ベース金具５、５のジャッキ７、７の上端間で各建枠１０が垂直に支持されている。なお、各ベース金具５は、上記の構成のものに限らず、公知の各種のベース金具を使用することができる。
【００２７】
各建枠１０は、１本の単管を折り曲げて門型状に形成したもの、又は複数の単管を組み合わせて門型状に形成したものであって、図２に示すように、一対の支持柱１１、１１と、両支持柱１１、１１の上端間に水平に架設される梁１２とから構成され、各支持柱１１の内側には、建枠１０を補強するための梯子状の補強部材１３が一体に設けられている。
【００２８】
各建枠１０は、図２に示すように、各支持柱１１の下端部を各ジャッキ７の上端部の筒状の取付部７ａに嵌合させることにより、仕切り対象箇所４０の床面４０ｂ上に一対のベース金具５、５を介して垂直に支持されている。
【００２９】
この場合、仕切り対象箇所４０の床面４０ｂの表面形状に応じて、各ジャッキ７の高さをハンドル８の操作によって調整し、各建枠１０の支持柱１１の長さを調整することにより、床面４０ｂの表面形状に影響されることなく、両建枠１０、１０の両梁１２、１２間に布板１５を水平に架設することができる。
【００３０】
筋交い１４は、２本の鋼材１４ａ、１４ａをＸ型状に組み合わせて構成したものであって、両支持脚４、４の両建枠１０、１０の支持柱１１、１１間に配置した状態で、各鋼材１４ａの端部を各建枠１０の支持柱１１にボルト、ナット等により連結することにより、両支持脚４、４の両建枠１０、１０の支持柱１１、１１間に斜めに架設される。
【００３１】
布板１５は、長方形板状の本体部１５ａと、本体部１５ａの長手方向の両端部に設けられるＣ型状のフック１５ｂとから構成されるものであって、本体部１５ａを両支持脚４、４の両建枠１０、１０の上端部間に位置し、この状態で両端部のフック１５ｂを両建枠１０、１０の両梁１２、１２に係止させることにより、両支持脚４、４の両建枠１０、１０の両梁１２、１２間に架設される。この場合、両支持脚４、４の両建枠１０、１０の両梁１２、１２間の開口の大きさに応じて、１枚又は２枚以上の布板１５が両支持脚４、４の両建枠１０、１０の両梁１２、１２間に架設される。
【００３２】
両支持脚４、４の両建枠１０、１０の両支持柱１１、１１の表面間には、Ｃ型鋼等の鋼材（本実施の形態ではＣ型鋼）からなる複数（本実施の形態では２つ）の下地部材１６が上下方向に所定の間隔をおいて水平に架設され、この下地部材１６を利用して両支持脚４、４の両建枠１０、１０の両支持柱１１、１１の表面間にシート又はパネル部材３５が取り付けられる。
【００３３】
各下地部材１６は、図３及び図４に示すように、そのＣ型断面の一側の開口１６ａが建枠１０の支持柱１１側を向くように、両支持脚４、４の両建枠１０、１０の両支持柱１１、１１の表面間に水平に架設され、この状態で両端部が固定金具２０を介して両建枠１０、１０の両支持柱１１、１１に着脱可能に固定されている。
【００３４】
固定金具２０は、図３及び図４に示すように、例えば、各建枠１０の各支持柱１１に取り付けられる固定バンド２１と、固定バンド２１を各支持柱１１に固定するねじ締結体２５と、各支持枠１６の内面側に着脱可能に取り付けられる係止板３０と、係止板３０を固定バンド２１に固定するねじ締結体３１とから構成されている。
【００３５】
固定バンド２１は、２つ半円筒形状のバンド半部２２、２３を連結ピン２４を介して開閉自在に連結して構成したものであって、両バンド半部２２、２３を開いた状態で各支持柱１１に取り付けるとともに、両バンド半部２２、２３を閉じて両バンド半部２２、２３の開口部をボルト２６とナット２７とからなるねじ締結体２５で締め付けることにより各支持柱１１に固定される。
【００３６】
係止板３０は、図３及び図４に示すように、長方形状の板材の両端部を所定の角度で屈曲させて、その部分に一対の係止部３０ａ、３０ａを形成したものであって、下地部材１６の内面側に挿入した状態で両端部の係止部３０ａ、３０ａを下地部材１６の内面側の開口縁部１６ｂに係止させ、この状態で係止板３０をねじ締結体３１によって固定バンド２１に固定することにより、係止板３０、ねじ締結体３１、及び固定バンド２１を介して下地部材１６が支持柱１１に固定される。
【００３７】
ねじ締結体３１は、係止板３０の中央部のねじ挿通用孔と固定バンド２１側のねじ挿通用孔との間を貫通するねじ棒３２と、係止板３０から突出したねじ棒３２の一端部に螺合されるナット３３と、固定バンド２１から突出したねじ棒３２の他端部に螺合されるナット３４とから構成され、両ナット３３、３４を締め付けることにより、係止板３０の係止部３０ａが下地部材１６の内面側の開口縁部１６ｂに係止された状態に固定され、下地部材１６が係止板３０を介して支持柱１１に固定される。
【００３８】
なお、ねじ棒３２は、その一端部を溶接等によって係止板３０の中央部に予め一体に固定しておき、固定バンド２１から突出させたねじ棒３２の他端部のみにナット３３を螺合させて締め付けるように構成してもよい。
【００３９】
固定バンド２１は、上記のような構成のものに限らず、図５に示すように、フランジ２２ａ、２２ｂ付きの２つの半円筒状のバンド半部２２、２３によって構成し、両バンド半部２２、２３によって支持柱１１を両側から挟み、この状態で両バンド半部２２、２２のフランジ２２ａ、２３ａ間に下地部材１６側の一対の係止板３０、３０を貫通させたねじ棒３２を貫通させ、各ねじ棒３２の固定バンド２１のフランジ２２ａ、２３ａを貫通する部分にフランジ２２ａ、２３ａを両側から挟むように一対のナット３４、３４を螺合させて締め付けるように構成してもよい。
【００４０】
上記のような構成の固定金具２１によって下地部材１６の両端部を両建枠１０、１０の両支持柱１１、１１にそれぞれ固定することにより、両建枠１０、１０の両支持柱１１、１１間に２つの下地部材１６、１６が上下方向に間隔をおいて水平に取り付けられ、この２つの下地部材１６、１６にシート又はパネル部材３５が着脱可能に取り付けられる。
【００４１】
シート又はパネル部材３５は、各種の内装ボード（石膏ボード等）、ビニル製のシート等から形成されるものであって、仕切り対象箇所４０の全断面又は一部を閉塞するように下地部材１６の上部に複数配置し、各シート又はパネル部材３５の複数箇所をビス３６等によって各下地部材１６に固定することにより、仕切対象箇所４０を境として屋内を工事対象区域４１と非工事対象区域４２とに仕切る仮設間仕切り１が構成される。
【００４２】
なお、シート又はパネル部材３５の上端、下端、及び側端と仕切り対象箇所４０の天井面４０ａ、床面４０ｂ、側面４０ｃとの間に形成される隙間を、それぞれビニル製のシート等のシール部材によって閉塞するように構成してもよい。
【００４３】
なお、シート３５を用いる場合に、枠組み足場２の隣接する足場ユニット３間に工事対象区域４１と非工事対象区域４２とを連通する出入口を設け、この出入口にシート３５を重合するように設けることにより、或いはこの出入口を開閉可能にシート３５の一部にファスナ等の開閉手段を設けることにより出入口を開閉することができ、この出入口を介して工事対象区域４１と非工事対象区域４２との間で作業者が行き来することが可能となる。
【００４４】
上のように構成した本実施の形態による仮設間仕切り１にあっては、仕切り対象箇所４０に少なくとも一組の足場ユニット３からなる枠組み足場２を設置し、この枠組み足場２の表面に複数の下地部材１６を着脱可能に取り付け、この複数の下地部材１６の上部にシート又はパネル部材３５を着脱可能に取り付けることにより、屋内を工事対象区域４１と非工事対象区域４２とに仕切る仮設間仕切り１を構成することができる。
【００４５】
この場合、枠組み足場１の足場ユニット２には、リース品等として市場に通通しているものを利用することができ、また、枠組み足場１の表面に着脱可能に取り付けられる下地部材１６は繰り返し使用することができ、さらに、シート又はパネル部材３５も繰り返し使用することができるので、仮設間仕切り１の設置に要する設備費用を大幅に削減することができるとともに、産業廃棄物の排出量を大幅に削減することもでき、環境保全に貢献することもできる。
【００４６】
さらに、仕切り対象箇所４０に仮設間仕切り１を設置する場合、仕切り対象箇所４０に枠組み足場１を設置し、枠組み足場１の表面に複数の下地部材１６を取り付け、複数の下地部材１６の上部にシート又はパネル部材３５を取り付けるだけでよいので、仮設間仕切り１の設置に要する時間と手間と費用を大幅に削減することができ、仮設間仕切り１を安価に設置することができる。
【図面の簡単な説明】
【００４７】
【図１】本発明による仮設間仕切りの一実施の形態の全体を示した概略図である。
【図２】図１の部分拡大図である。
【図３】図１及び図２の枠組み足場と下地部材との関係を示した説明図である。
【図４】図３の概略断面図である。
【図５】固定金具の変形例を示した概略断面図である。
【符号の説明】
【００４８】
１  仮設間仕切り
２  枠組み足場
３  足場ユニット
４  支持脚
５  ベース金具
６  支持板
７  ジャッキ
７ａ  取付部
８  ハンドル
９  ベース板
１０  建枠
１１  支持柱
１２  梁
１３  補強部材
１４  筋交い
１４ａ  鋼材
１５  布板
１５ａ  本体部
１５ｂ  フック
１６  下地部材
１６ａ  開口
１６ｂ  開口縁部
２０  固定金具
２１  固定バンド
２２  バンド半部
２２ａ  フランジ
２３  バンド半部
２３ａ  フランジ
２４  連結ピン
２５  ねじ締結体
２６  ボルト
２７  ナット
３０  係止板
３０ａ  係止部
３１  ねじ締結体
３２  ねじ棒
３３  ナット
３４  ナット
３５  シート又はパネル部材
３６  ビス
４０  仕切り対象箇所
４０ａ  天井面
４０ｂ  床面
４０ｂ  側面
４１  工事対象区域
４２  非工事対象区域
【図１】
0005338141.tif 000002
【図２】
0005338141.tif 000003
【図３】
0005338141.tif 000004
【図４】
0005338141.tif 000005
【図５】
0005338141.tif 000006